(57)【要約】【課題】本発明は、多段に積み重ねられる棚板を容易に組立及び分離することができるばかりでなく、組み立てられた棚の形態を安定的に保持することが可能な組立式棚を提供する。【解決手段】本発明による組立式棚は、上面が開放され、外側縁に二つ以上の中空形状の締結部が形成され、上下方向に複数積み重ねられる棚板と、前記各棚板の締結部間に立設され、上下方向に貫通された中空形状の支柱と、前記各支柱の上端及びその支柱の上側に位置する棚板の締結部の下端に組み合わされることで相互間を連結し、上端に螺旋部を有している上側連結部材と、前記各支柱の下端及びその支柱の下側に位置する棚板の締結部上端に組み合わされることで相互間を連結し、下端には前記上側連結部材の螺旋部に対応して結合するための螺旋部が形成されている下側連結部材と、を含む。【選択図】図２
2008126057.tif 000002
【特許請求の範囲】
【請求項１】
上面が開放され、外側縁に二つ以上の中空形状の締結部が形成され、且つ上下方向に複数積み重ねられる棚板と、
前記各棚板の締結部間に配され、上下方向に貫通された中空形状の支柱と、
前記各支柱の上端及びその支柱の上側に位置する棚板の締結部の下端に組み合わせられることで相互間を連結し、上端に螺旋部が備えられた上側連結部材と、
前記各支柱の下端及びその支柱の下側に位置する棚板の締結部の上端に組み合わせられることで相互間を連結し、下端には前記上側連結部材の螺旋部に対応して結合するように螺旋部が備えられた下側連結部材と、を含めて構成されることを特徴とする組立式棚。
【請求項２】
前記上側連結部材と下側連結部材との中央には、前記支柱と締結部の内径より大径の係止部が備えられていることを特徴とする請求項１に記載の組立式棚。
【請求項３】
前記複数枚の棚板のうち最上側に配される棚板の締結部上端には上端カバーが装着され、この上端カバーは、その下方に螺旋部が備えられ、前記上側連結部材の螺旋部に螺合されることを特徴とする請求項１に記載の組立式棚。
【請求項４】
前記複数枚の棚板のうち最下側に配される棚板の締結部の下端には下端カバーが装着され、この下端カバーの下部には前記締結部の内径より大径の係止部が形成され、この係止部の内部には螺旋部が備えられ、前記下側連結部材の螺旋部と螺合されることを特徴とする請求項１に記載の組立式棚。
【請求項５】
前記下端カバーの下側には支柱受け部材が装着され、この支柱受け部材は前記下端カバーより大径の胴体部と、この胴体部の上端に形成され、前記係止部の螺旋部に螺合される螺旋部とからなることを特徴とする請求項４に記載の組立式棚。
【請求項６】
前記下端カバーの下側にはキャスター付きのキャスターブラケットが着脱可能に組み合わせられ、前記キャスターブラケットにはキャスターの転動を抑えるストッパーが備えられることを特徴とする請求項４に記載の組立式棚。
【請求項７】
上面が開放され、外側縁に二つ以上の中空形状の締結部が形成され、且つ上下方向に複数積み重ねられる棚板と、
前記複数枚の棚板間に配され、下端が前記締結部の上端に嵌め込まれると共に、上端が前記締結部の下端に嵌め込まれる支柱とを含み、
前記支柱は、外周面に所定間隔で前記締結部の内径より大径の上側突起部及び下側突起部を備え、前記上側突起部は、支柱の上側に位置した棚板の締結部の下端に引っ掛かり、前記下側突起部は、支柱の下側に位置した前記締結部の上端に引っ掛かることを特徴とする組立式棚。
【請求項８】
前記上側突起部及び下側突起部は、それぞれ前記支柱を上下方向に圧縮させて形成したものであること特徴とする請求項７に記載の組立式棚。
【請求項９】
前記積み重ねられる棚板のうち最下側に配される棚板の締結部下端には支持脚が挿入結合され、この支持脚の中央外周面には前記締結部の内径より大径の係止部が形成されていることを特徴とする請求項７に記載の組立式棚。
【請求項１０】
前記支持脚の下側には、キャスター付きのキャスターブラケットが着脱可能に組み合わせられ、前記キャスターブラケットの転動を抑えるためのストッパーが備えられていることを特徴とする請求項９に記載の組立式棚。
【請求項１１】
上面が開放され、外側縁に二つ以上の中空形状の締結部が形成され、且つ上下方向に複数積み重ねられる棚板と、
前記複数枚の棚板間に配され、上側に位置した棚板の締結部の下端に上端が挿入されると共に、下側に位置した棚板の締結部の上端に下端が挿入される中空形状の支柱と、
前記各支柱の上端に挿入される結合部が備えられ、この結合部の内部には螺旋部が形成されている上側連結部材と、
前記各支柱の下端に挿入される結合部が備えられ、この結合部の下部には前記上側連結部材の螺旋部に対応して結合するように螺旋部が備えられている下側連結部材と、を含むことを特徴とする組立式棚。
【請求項１２】
前記上側連結部材の結合部上端には支柱の外径と同じ直径のフランジ部が形成されていることを特徴とする請求項１１に記載の組立式棚。
【請求項１３】
前記下側連結部材の結合部と螺旋部上端には支柱の外径と同じ直径のフランジ部が形成されていることを特徴とする請求項１１に記載の組立式棚。
【発明の詳細な説明】
【技術分野】
【０００１】
本発明は、組立式棚に関するものであって、より詳しくは、複数の棚板を容易に積み重ねることができ、該積み重ねた棚板が安定的にその位置を保持することができるようにした組立式棚に関する。
【背景技術】
【０００２】
一般に、組立式棚は、所定形態を有する格子状の棚板、所謂ワイヤシェルフなどを上下方向に多段に積み重ね、前記棚板の縁部を垂直に配設される支柱に溶接させるか、あるいは下側連結部材を用いて棚板と支柱とを連結するという方式から構成する。
【０００３】
このように構成した棚は、ダイニングルームやお風呂など必要となる場所に置き、比較的に小さな物品を収納するために用いられる。また、この棚は、安価で容易に買うことができるため、多目的な種々の用途に広く用いることができる。
【０００４】
しかしながら、従来技術による棚は、棚板と支柱とが一体形に構成され、使用者の任意により棚板の段数を調節することができなかった問題があった。また、棚板と支柱とが一体になっていないものであっても、その組み合わせ構造が複雑であり、手間がかかるという問題もあった。
【発明の開示】
【発明が解決しようとする課題】
【０００５】
本発明は、かかる従来技術等に鑑みてなされたものであり、その目的は、棚板と支柱との組合せ方式を改善することによって、棚板を容易に多段に積み重ねることが可能となるばかりでなく、物品を収納した場合でも多段の棚板を安定的に保つことができる組立式棚を提供することにある。
【課題を解決するための手段】
【０００６】
前述した本発明の目的は、上面が開放され、外側縁に二つ以上の中空形状の締結部が形成され、上下方向に複数積み重ねられる棚板と、前記各棚板の締結部間に配され、上下方向に貫通された中空形状の支柱と、前記各支柱の上端及びその支柱の上側に位置する棚板の締結部の下端に組み合わせられることで相互間を連結し、上端に螺旋部が形成された上側連結部材と、前記各支柱の下端及びその支柱の下側に位置する棚板の締結部上端に組み合わせられることで相互間を連結し、下端には前記上側連結部材の螺旋部に対応して結合する螺旋部が備えられる下側連結部材と、を含む組立式棚により達成される。
【０００７】
また、本発明の目的は、上面が開放され、外側縁に二つ以上の中空形状の締結部が形成され、上下方向に複数積み重ねられる棚板と、前記複数枚の棚板間に配され、下端が前記締結部の上端に嵌め込まれると共に、上端が前記締結部の下端に嵌め込まれる支柱とを含めるが、前記支柱は外周面に所定間隔で前記締結部の内径より大径の上側突起部及び下側突起部を備え、前記上側突起部は支柱の上側に位置した棚板の締結部下端に引っ掛かり、前記下側突起部は、前記支柱の下側に位置した前記締結部の上端に引っ掛かる組立式棚により達成される。
【０００８】
さらに、本発明の目的は、上面が開放され、外側縁に二つ以上の中空形状の締結部が形成され、且つ上下方向に複数積み重ねられる棚板と、前記複数枚の棚板間に配され、上側に位置した棚板の締結部下端に上端が挿入されると共に、下側に位置した棚板の締結部の上端に下端が挿入される中空形状の支柱と、前記各支柱の上端に挿入される結合部が備えられ、この結合部の内部には螺旋部が形成されている上側連結部材と、前記各支柱の下端に挿入される結合部が備えられ、この結合部の下部には前記上側連結部材の螺旋部に対応して結合するように螺旋部が備えられている下側連結部材と、を含む組立式棚により達成される。
【発明の効果】
【０００９】
以上で述べたように、本発明の組立式棚によれば、多段に積み重ねられる棚板を簡単かつ容易に組立及び分解することができるばかりでなく、各支柱及び/又は連結部材により組み立てられた棚板の形態を安定的に維持することができるという利点がある。
【発明を実施するための最良の形態】
【００１０】
以下では、本発明による組立式棚の実施例を添付図面に基づいてより詳しく説明する。図１は、本発明による組立式棚の第１実施例を示した斜視図であり、図２は、図１の分解斜視図である。
【００１１】
本実施例について詳述するにあたり、本実施例による組立式棚は、図１及び図２には棚板の形態が矩形状からなり、棚板が４段に積み重ねられ、支柱が棚板の前後左右の四隅部に四本設けられているものとなっているが、積み重ねられた棚板の形態と枚数及び支柱の本数は、当業者であれば適宜に調整可能であることは勿論である。
【００１２】
本実施例による組立式棚は、図１及び図２に示された如く、上下方向に複数枚積み重ねられ、二つ以上の締結部１１が形成された棚板１０と、前記それぞれの棚板１０間に配される支柱２０と、各支柱２０の上端及びその支柱２０の上側に位置した棚板１０の締結部１１の下端に嵌め込まれる上側連結部材３０と、前記支柱２０の下端及びその支柱２０の下側に位置した棚板の締結部１１の上端に嵌め込まれる下側連結部材４０とを含めて構成される。
【００１３】
前記棚板１０は、上面が開放されていることから、物品を収納するに便利であると共に、下部面はステンレススチールのように腐食しにくい金属製からなり、横方向支持部１２と縦方向支持部１３とから構成して全体的に格子状となるようにした。
【００１４】
また、前記棚板１０の縁には上下に上部フレーム１４と下部フレーム１５とを配置し、前記上部フレーム１４と下部フレーム１５との間に支持フレーム１６を設けることによって、棚板１０の全体的な形状が安定的に保持されることが可能となるようにすると共に、収納物品が外に容易に離脱することがないように構成した。
【００１５】
一方、前記棚板１０の前後左右方向の四隅部には締結部１１を設け、前記支柱２０に連結されるようになっているが、前記締結部１１は上下方向に穴があけられている管状に構成した。
【００１６】
そして、前記棚板１０は、複数枚積み重ねられる際、図１及び図２に示されたように、その積み重ね位置によって、つまり最下端に位置した棚板と、中間に位置した棚板と、最下端に位置した棚板との模様を一定部分変更し得ることは勿論である。
【００１７】
前記支柱は、いずれかの一つの棚板の締結部と積み重ねられる他の棚板の締結部との間に位置し、上下方向にその内部が貫通されている中空体からなる。
【００１８】
前記上側連結部材３０は、支柱を各棚板の締結部下端につなげるためのものであって、その中央外周面には前記支柱２０と前記締結部１１の内径より大径の係止部３１が形成されていることから、前記上側連結部材３０が前記支柱２０と締結部１１の中に完全に挿入されて埋没されることを防止する。
【００１９】
即ち、前記上側連結部材３０は、係止部３１を基準として上側に位置した棚板１０の締結部１１内部に挿入される上側結合部３２と、下側に位置した支柱に挿入される下側結合部３３とに分けられる。
【００２０】
ここで、さらに望ましくは、係止部３１の直径を前記支柱２０の外径と同じ大きさで構成することから、係止部３１が外方へ露出された場合でも全体的に滑らかな形態を保持することが可能となる。
【００２１】
そして、前記上側結合部３２の内周面にはその上側に積み重ねられる下側連結部材４０の螺旋部に螺合されるように螺旋部３２ａ、即ち螺旋状の溝が形成されている。
【００２２】
前記下側連結部材４０は、支柱２０を各棚板１０の締結部１１の上端につなげるためのものであって、その上端には上側に位置した支柱２０内へ挿入される上側結合部４２が設けられ、下端には、下側に位置した棚板１０の締結部１１に挿入される下側結合部４３が形成され、且つ中央には前記支柱２０と締結部１１の内径より大径の係止部４１を形成することによって、下側連結部材４０が前記支柱２０と締結部１１の中に完全に挿入されて埋没されることを防止する。したがって、支柱２０に隣接した他の支柱２０間に下側連結部材４０を嵌めると、係止部４１が外部へ露出される。
【００２３】
この時、前記下側連結部材４０の係止部４１も前記上側連結部材３０に形成の係止部３１と同様に、支柱２０の外径と同じ大きさに構成し、支柱２０を複数本つなげた場合にも、支柱と支柱との間が滑らかに保たれるようにすることが好ましい。
【００２４】
そして、前記下側結合部４３の下端には、その下側に位置した上側連結部材３０の螺旋部３２ａに螺合されるように螺旋部４３ａ、即ち螺旋状の突起が形成される。
【００２５】
一方、複数枚積み重ねられる棚板のうち最も上側に配される棚板の締結部１１の上端には上端カバー５０が装着されるが、前記上端カバー５０は、その下側に螺旋部５２、即ち螺旋突起が形成され、前記上側連結部材３０の上側に形成の螺旋部３２ａに螺合される。
【００２６】
もちろん、前記上端カバー５０の頭部５１は、前記締結部１１の内径より大きく、前記締結部１１の外径とは同じ大きさの直径からなり、前記締結部１１内部へ挿入されて埋没されることを防止することが好ましい。
【００２７】
また、多段に積み重ねられる複数枚の棚板のうち最下段に配される棚板の締結部１１の下端には下端カバー６０が装着されるが、前記下端カバー６０は、最下側に位置した棚板１０の締結部１１に挿入される挿入部６１を持ち、且つ、この挿入部６１の下端には前記締結部１１の内径より大径の係止部６２が段差により形成され、前記下端カバー６０全体が前記締結部１１の中に挿入されて埋没されることを防止した。
【００２８】
この際、前記挿入部６１と係止部６２の内部にはそれぞれ下側連結部材４０の螺旋部４３ａと支柱受け部材７０の螺旋部７２とそれぞれ螺合されるように螺旋部６１ａ、６２ａ、即ち螺旋状の溝が備えられている。
【００２９】
そして、前記下端カバー６０の下側には支柱受け部材７０が装着されるが、前記支柱受け部材７０は前記下端カバー６０より大きい直径を持つ胴体部７１と、前記胴体部７１の上端に形成の螺旋部７２とからなる。
【００３０】
前記胴体部７１は、底面が平らな形態からなり、前記棚板１０を安定的に保持することができるようにした。さらに、前記胴体部７１は、合成ゴムなどのような材質からなり、滑る恐れをなくすことができる。
【００３１】
前記螺旋部７２は、前記下端カバー６０の係止部６２の内周面に形成の螺旋部６２ａに締め付けられる。よって、本発明の組立式棚を置く場所が平らではない場合には、その屈曲に応じて支柱受け部材７０の螺旋部７２をねじ込んだり、あるいは緩ませたりすることによって、組立式棚の高さが調整可能となる。
【００３２】
前述したように構成された本実施例による組立式棚の組立過程を図１及び図２に基づいて述べる。但し、積み重ねられる棚板の枚数にかかわらず、その組立過程は同様であるから、ここでは棚板が２段に積み重ねられた場合のみを例に挙げて詳述する。
【００３３】
先ず、下段に置かれる棚板１０の締結部１１の下端に下端カバー６０を嵌め込んでから、下側連結部材４０を締結部１１の上端に嵌め込む。それから、支柱受け部材７０の螺旋部７２を下端カバー６０の螺旋部６２ａに螺合し、前記下端カバー６０を締結部１１の下端に挿入し、その上側に組み合わされる下側連結部材４０の螺旋部４３ａに螺合するようにする。
【００３４】
次いで、支柱２０の下端を下側連結部材４０の上端に嵌め込んで、上側連結部材３０の下端を支柱２０の上端に嵌め込む。
【００３５】
このようにして、上側連結部材３０が支柱２０の上端に嵌め込まれると、上側に配されるはずの棚板の締結部１１に上側連結部材３０の螺旋部３２ａが挿入されることになる。
【００３６】
次いで、上端カバー５０を上方に配される棚板の締結部１１の上端に嵌め込んで、前記上端カバー５０を回転させることで、下側に形成の螺旋部５２が前記上側連結部材３０の螺旋部３２ａに締め付けられることになる。
【００３７】
一方、前記各支柱２０の上端と下端とに上側連結部材３０及び下側連結部材４０を先に結合固定させた後、その支柱２０を棚板１０に締結することも可能である。
【００３８】
図３及び図４に図示の組立式棚は、本発明の第２実施例を示したものであって、本実施例の組立式棚は、上下方向に複数枚積み重ねられ、外側縁に二つ以上の締結部１１が備えられている棚板１０と、前記複数枚の棚板１０間に配され、下端が前記締結部１１の上端に嵌め合わされると共に、上端が前記締結部１１の下端に嵌められる支柱２０とを含めて構成される。
【００３９】
図３と図４に図示の組立式棚板において、図１及び図２に示された構成要素と同じ構成要素は、図１及び図２に示された図面符号と同じ符号を付した。
【００４０】
前記棚板１０に関する構成は、図１及び図２に示された棚板とその構成において多くの違いがないから、ここでは棚板１０に対する説明は略する。
【００４１】
前記支柱２０は、上下方向に貫通されたパイプ状の部材として、図１及び図２と同じく棚板の四隅部付近に四本設けられていると示されているが、これは上述したように、当業者であれば容易に変更し得る事項に過ぎない。
【００４２】
一方、前記支柱２０には、外周面に所定間隔で前記締結部１１の内径より大径の上側突起部２１、及び下側突起部２２が形成され、これにより前記上側突起２１の上方には棚板１０の締結部１１の下端と組み合わされる上側結合部２３が設けられ、下側突起部２２の下方には棚板１０の締結部１１の上端に組み合わされる下側結合部２４が設けられている。
【００４３】
前記上側突起部２１、及び下側突起部２２は、前記支柱２０を上下方向に圧縮させることで形成したものであって、その直径は前記締結部１１の外径と同一のものが好ましい。
【００４４】
前記上側突起部２１は、積み重ねられる棚板のうち上側に位置した棚板の締結部１１の下端に引っ掛かることになると共に、前記下側突起部２２は、積み重ねられる棚板のうち下側に位置した棚板の締結部１１の上端に引っ掛かることになる。
【００４５】
一方、複数積み重ねられた棚板のうち最上側に配される棚板の締結部１１の上端には上端カバー５０´が装着されるが、その上側には、前記締結部１１の内径よりは大きく、前記締結部１１の外径とは同じ大きさの直径からなる頭部５１´が構成され、前記上端カバー５０´全体が前記締結部１１の内部へ挿入されて埋没されることを防止することが好ましい。
【００４６】
但し、図３及び図４に図示の上端カバーは、図１及び図２に図示の上端カバーとは少し異なるが、それは上端カバー５０´の下側５２´に螺旋部が刻設されていないという点である。
【００４７】
また、複数積み重ねられている棚板のうち最下側に配される棚板の締結部１１の下端には支持脚８０が装着される。前記支持脚８０は前記締結部１１に引っ掛かるように中央側に環状突起８１を備えていることから、前記支持脚８０全体が前記締結部１１内へ挿入されて埋没されることを防止した。
【００４８】
そして、前記支持脚８０の下側には、床面上での滑りを防止することが可能となるように合成樹脂からなる滑り止め部材８４が組み合わせられている。
【００４９】
説明されていない符号８２と８３は、それぞれ最下側棚板の締結部下端へ挿入される上側結合部と、滑り止め部材に挿入される下側結合部である。
【００５０】
図５及び図６に示された組立式棚板は、本発明の第３実施例を示したものであって、本実施例の組立式棚は、上下方向に複数積み重ねられ、外側縁に二つ以上の締結部１１が形成されている棚板１０と、前記複数枚の棚板１０間に配され、下端が前記締結部１１の上端に嵌め合わされると共に、上端が前記締結部１１の下端に嵌められる支柱２０とを含めて構成される。
【００５１】
図５と図６に図示の組立式棚において、図１ないし図４に示された構成要素と同じ構成に対しては同一図面符号を付した。
【００５２】
前記支柱２０は、上下方向に貫通されたパイプ状の部材として、棚板の四隅付近に四本設けられているが、これは上述したように当業者であれば容易に変更することができる程度のものに過ぎない。
【００５３】
一方、前記支柱２０には、外周面に所定間隔で前記締結部１１の内径より大径の上側突起部２１、及び下側突起部２２が形成され、前記上側突起部２１、及び下側突起部２２は、前記支柱２０を上下方向に圧縮して形成させたものであって、その直径は、前記締結部１１の外径と同一のものが好ましい。
【００５４】
前記上側突起部２１は、積み重ねられる棚板のうち上側に位置した棚板の締結部１１の下端に引っ掛かることになり、前記下側突起部２２は、積み重ねられる棚板のうち下側に位置した棚板の締結部１１の上端に引っ掛かることになる。
【００５５】
一方、前記各支柱２０の上端には上側連結部材３０´が挿入されて結合され、且つ、各支柱２０の下端には下側連結部材４０´が挿入されて結合される。
【００５６】
前記上側連結部材３０´は、支柱２０の内径に対応する外径の結合部３１´を備え、前記結合部３１´の内部には螺旋状の溝からなる螺旋部３１ａ´が形成されている。そして、前記結合部３１´の上端には上側連結部３０´全体が支柱２０の内部へ挿入されて埋没されることを防止するためのフランジ部３２´が外方へ所定長さ程突き出されるように形成され、且つ、このフランジ部３２´は前記支柱２０の外径と同じ直径からなることが好ましい。
【００５７】
同様に、前記下側連結部材４０´は、支柱の内径に対応する外径の結合部４１´を備え、結合部４１´の下方には螺旋突起からなる螺旋部４１ａ´が形成されている。そして、前記下側連結部材４０´と螺旋部４１ａ´との間には下側連結部材４０´全体が支柱２０の内部へ挿入されて埋没されることを防止するためのフランジ部４２´が外方へ所定長さ程突き出されるように形成され、且つ、このフランジ部４２´は前記支柱２０の外径と同じ直径からなることが好ましい。
【００５８】
したがって、上側連結部材３０´と下側連結部材４０´とは、支柱２０の上部と下部とにそれぞれ挿入されることで組み合わせられ、それぞれの外周面に接着剤などを塗布して支柱に取り付けられるようにすることも可能である。この際、上側連結部材３０´と下側連結部材４０´とは、それぞれのフランジ部３２´、４２´により支柱２０の内部へ完全に挿入されることが防がれる。
【００５９】
このように組み立てられた支柱２０を棚板１０の締結部１１に挿入した後、前記棚板の上側又は下側に配された他の棚板の締結部に挿入される支柱と互いに結合されることによって、棚板の積層組立を実施することができる。
【００６０】
即ち、各支柱２０の上部に組み合わせられる上側連結部材３０´は、上側に積み重ねられる棚板１０の締結部１１を通過した支柱の下側連結部材４０´に螺合し、支柱２０の下部に結合される下側連結部材４０´は、下側に位置する棚板の締結部を通過した支柱の上側連結部材３０´と螺合することによって、棚板の積み重ね組立が行われる。
【００６１】
最後に、最上側に位置した棚板及び最下側に位置した棚板の締結部にはそれぞれ上端カバー５０及び下端カバー６０が螺合することによって、棚板の組立が完了する。
【００６２】
図７は、本発明の組立式棚の第４実施例を示したものであって、上下方向に複数積み重ねられ、外周縁に二つ以上の締結部１１が形成された棚板１０と、前記複数枚の棚板１０間に配され、下端が前記締結部１１の上端に嵌め込まれると共に、上端が前記締結部１１の下端に嵌め込まれる支柱２０とを含めるというのは、第１実施例ないし第３実施例と大同小異である。
【００６３】
この際、前記積み重ねられた棚板１０のうち最下側に配された棚板１０の締結部１１には第１実施例のように下端カバー６０が組み合わされ、且つ、この下端カバー６０の下側にはキャスター組立体９０が組み合わされる。
【００６４】
前記キャスター組立体９０は、通常、キャスター９１が回転軸(図示せず)によりキャスターブラケット９２に回転可能に組み合わせられるように構成され、前記キャスターブラケット９２の上側には螺旋部９３が上向きに突出形成され、前記下端カバー６０の係止部６２内部にはキャスターブラケット９２の螺旋部９３が螺合されるように螺旋部６２ａが備えられている。
【００６５】
したがって、使用者の必要に応じて前記キャスター組立体９０を下端カバー８０に選択的に装着又は分離することができる。
【００６６】
その上、組立式棚の位置固定のために、前記キャスターブラケット９２の一側にはキャスター９１の転動を抑えるストッパー９４が所定角度回動可能にヒンジ(図示せず)結合されることが好ましい。
【００６７】
この際、前記ストッパー９４は、その一端が地面に接触することで、組立式棚全体を堅固に支持することが可能となるように構成することも可能であり、又はキャスター９１に直接接触し、キャスター９１の転動を防止するように構成することができる。
【００６８】
また、前記ストッパー９４は、地面との接触支持力を高めることができるように、全体が合成ゴムなどからなるか、あるいは地面との接触部分のみを合成ゴムから構成することもできる。
【００６９】
一方、本実施例では、キャスター組立体が第１実施例又は第３実施例で述べられた下端カバーの下側に組み合わせられたことを一例に挙げて説明したが、前記キャスター組立体は第２実施例で説明した支持脚８０の下部に螺子溝に刻設し、この螺子溝に螺合されるように構成することも可能である。
【図面の簡単な説明】
【００７０】
【図１】本発明の第１実施例による組立式棚を示した斜視図である。
【図２】図１に示される組立式棚の分解斜視図である。
【図３】本発明の第２実施例による組立式棚を示した斜視図である。
【図４】図３に示される組立式棚の分解斜視図である。
【図５】本発明の第３実施例による組立式棚を示した斜視図である。
【図６】図５に示される組立式棚の分解斜視図である。
【図７】本発明の第４実施例による組立式棚を示した斜視図である。
【符号の説明】
【００７１】
１０  棚板
１１  締結部
２０  支柱
２１  上側突起部
２２  下側突起部
３０、３０´  連結部材
４０、４０´  上側連結部材
５０  上端カバー
６０  下端カバー
７０  支柱受け部材
８０  支持脚
９０  キャスター部材
【図１】
2008126057.tif 000003
【図２】
2008126057.tif 000004
【図３】
2008126057.tif 000005
【図４】
2008126057.tif 000006
【図５】
2008126057.tif 000007
【図６】
2008126057.tif 000008
【図７】
2008126057.tif 000009